(57)【特許請求の範囲】
【請求項１】
外壁が基礎の立ち上り部よりもせり出した建物において、
給湯器に接続された給湯管が、前記基礎の立ち上り部からせり出した前記外壁の下端面に沿って前記外壁の表面よりも突出することなく設けられたことを特徴とする給湯管の配設構造。
【請求項２】
前記給湯管は、カバー材にて保護されており、
前記カバー材は、前記外壁の表面よりも突出することなく設けられたことを特徴とする請求項１に記載した給湯管の配設構造。
【請求項３】
横引きされた前記給湯管が、給水管の立ち上り位置で分岐あるいは屈曲され、前記給水管とともに前記外壁に設けられた引き込み口から前記建物内部に引き込まれたことを特徴とする請求項１または２のいずれか一項に記載した給湯管の配設構造。
【発明の詳細な説明】
【技術分野】
【０００１】
本発明は、給湯管の配設構造に関する。
【背景技術】
【０００２】
従来、戸建住宅において給湯器を経由して加熱された水、即ち温水は給湯管を経由して設備機器等に供給される。この給湯管は、地中に埋設された状態で建物の外周に沿って横引きされ、設備機器の付近などの位置で上方に分岐され、建物内部に引き込まれるのが一般的である。給湯管を地中に埋設させることにより、給湯管の破損を防止する。
【０００３】
水道本管から分岐され宅地内に配設される給水管については、市町村条例等によって原則的に所定の深さに埋設することが義務付けられている。一方、給湯管は法的な規程に基づいて埋設される必要はない。
【発明の概要】
【発明が解決しようとする課題】
【０００４】
建物周囲はコンクリート（犬走り、テラス等）で覆われることがあるため、上記のように給湯管が地中に埋設されていると、給湯管の交換、分岐、延長等を行う場合、はつり作業や修復作業が必要となって手間とコストがかかる。しかし、安易に露出させると美観を損ねてしまい、破損の危険性も増すという問題がある。
【０００５】
本発明は上記の事情に鑑みてなされたものであり、美観を損ねることや破損の虞がなく、しかも給湯管の交換、分岐、延長等の作業が行いやすい給湯管の配設構造を提供することを目的とする。
【課題を解決するための手段】
【０００６】
本発明に係る給湯管の配設構造は、外壁が基礎の立ち上り部よりもせり出した建物において、給湯器に接続された給湯管が、前記基礎の立ち上り部からせり出した前記外壁の下端面に沿って前記外壁の表面よりも突出することなく設けられたことを特徴とする。
【０００７】
上記の構成からなる給湯管の配設構造では、給湯管が外壁の下端面に沿って配設されるので目に付きにくく破損の危険性も低い。また、給湯管を建物内部に引き込む場合も、給湯管を地盤面から立ち上げる必要がなく美観を損ねにくい。また、給湯管の交換、分岐、延長等も容易に行うことができる。
【０００８】
本発明の他の態様によれば、前記給湯管は、カバー材にて保護されており、前記カバー材は、前記外壁の表面よりも突出することなく設けられたことを特徴とする。また、本発明の他の態様によれば、横引きされた前記給湯管が、給水管の立ち上り位置で分岐あるいは屈曲され、前記給水管とともに前記外壁に設けられた引き込み口から前記建物内部に引き込まれたことを特徴とする。
【０００９】
上記の構成によれば、設備機器に対し給水管と給湯管を接続する場合においても２本の美観を保つことができ、施工の手間も低減することができる。
【発明の効果】
【００１０】
本願発明に係る給湯管の配設構造は、目に付きにくく破損の危険性も低い。また、建物内に引き込む場合も、給湯管を地盤面から立ち上げる必要がなく美観を損ねにくい。また、給湯管の交換、分岐、延長等も容易に行うことができる。
【図面の簡単な説明】
【００１１】
【図１】本発明の実施形態に係る給湯管の配設構造の概略図である。
【図２】本発明の実施形態に係る給湯管の配設構造の断面概略図である。
【符号の説明】
【００１２】
１      基礎
１ａ    立ち上がり部
２      外壁パネル
３      受け金物
４      内壁
５      新規給水管
６      新規給湯管
６ａ    分岐用継ぎ手
６ｂ    プラグ
７      壁貫通部材
７ａ    筒状挿通部
８      ジョイント金具
９      給湯器
１０    カバー材
１０ａ  ベース片
１０ｂ  カバー片
１１    化粧カバー材
【発明を実施するための形態】
【００１３】
次に、本発明に係る給湯管の配設構造の実施形態を図１及び図２に基づいて説明する。これらの実施形態は本発明の理解を助けるために記載するものであって、本発明を記載された実施形態に限定するものではない。
【００１４】
本実施形態では、既存建物における洗面化粧台の更新に伴って更新される給水管及び給湯管の配設例について説明する。
【００１５】
［既存建物の構成］
本実施形態に係る給湯管の配設構造が適用される建物は鉄骨造の工業化住宅である。この建物においては、角形鋼管からなる柱、Ｈ形鋼からなる梁、ブレース等にて基本架構が形成されている。
【００１６】
基礎１は鉄筋コンクリート造で、立ち上がり部１ａを有する逆Ｔ字断面の布基礎である。建物の外周部に位置する基礎１には、後述する外壁パネル２を支持する為の受け金物３が取り付けられている。この受け金物３は、Ｌ字断面の長尺部材であり、ステンレススチールまたは、溶融亜鉛メッキ処理された鋼材からなる。基礎１の上端から突設されたアンカーボルトを用いて取り付けられており、起立片を有する先端側が基礎１の立上り部１ａの表面からせり出すように構成されている。
建物内部の床は、布基礎天端に架け渡されたＡＬＣからなる床パネル、床下地モルタル、床仕上げ材で構成されている。
【００１７】
外周壁は、外壁パネル２と内壁とからなる。外壁パネル２は、ＡＬＣからなり、下端が受け金物３にて支持され、上端側は、２階外周部の床梁の下フランジにボルトにて取り付けられた断面Ｌ字状の定規金物の垂下片に沿って固定されている。表面には防水と化粧を兼ねた吹き付け塗装が施されている。外壁パネル２の表面は受け金物３の先端の起立片に接しており、基礎１の立上り部１ａの表面からせり出すように構成されている。
【００１８】
内壁４は、所定のピッチで配列された下地材に対して釘止めされた石膏ボードと、石膏ボードに糊付けされたビニールクロスで構成されている。間仕切り壁は、所定のピッチで配列された下地材の両面に釘止めされた石膏ボードと、石膏ボードに糊付けされたビニールクロスで構成されている。
【００１９】
なお、本実施形態においては、上記のような工業化住宅について説明を行うが、本願発明がこのような建物にのみ限定されて用いられるわけではない。
【００２０】
［既存設備の構成］
ここでは、洗面室に配設された既存の洗面化粧台、及び洗面化粧台に接続された既存給水管と既存給湯管を既存設備とする。既存給水管は、ＳＧＰ管（配管用炭素鋼鋼管）、ＶＬＧＰ管（塩化ビニルライニング鋼管）等からなり、既存給湯管は、銅管からなる。
既存給水管、既存給湯管は、地中に埋設され、洗面室が面する外壁面近傍で立ち上げられ、既存洗面化粧台背面の接続部位置にて直角エルボを用いて外壁方向に曲げられて、外周壁を貫通して建物内に引き込まれ、既存洗面化粧台接続部に接続されている。また、その他の排水管や電源ケーブルなどが接続されている。
【００２１】
［既存設備の撤去手順］
既存設備の撤去作業について説明する。先ず、既存洗面化粧台を撤去し、石膏ボードを剥がす（既存給水管、既存給湯管の撤去及び新規給水管、新規給湯管の配管に必要な範囲のみ）。既存給水管、既存給湯管を撤去する。
そして、外壁パネルの既存給水管、既存給湯管の貫通部の孔を適宜補修する。
【００２２】
［新規設備の構成］
新規洗面化粧台は背面に給水管、給湯管の接続部を備えた家庭用の一般的なタイプである。２つの接続部は同一の高さに所定の間隔で形成されている。
【００２３】
新規給水管５、新規給湯管６ともに、可撓性を有する架橋ポリエチレン管からなり、蛇腹状で可撓性を有するＣＤ（Combined  Duct）管からなる保護管の内部に挿通されている。いわゆるサヤ管方式という配管形式である。
【００２４】
図１又は図２に示すように、新規給水管５、新規給湯管６は、外周壁（外壁パネル２）の外側面に取り付けられた壁貫通部材７を利用して建物内に引き込まれている。壁貫通部材７は、斜め下方を向いた筒状挿通部７ａを有し、新規給水管５、新規給湯管６は、当該筒状挿通部７ａから2本まとめて挿通される。
【００２５】
壁貫通部材７の取り付け位置は、所定寸法（新規洗面化粧台の２つの接続部のうち近いほうから水平距離で３００ｍｍ以上）離隔した位置に設定されている。
新規給水管５、新規給湯管６は壁貫通部材７を経由して建物内に引き込まれたのち、図１に示すように、外周壁の内部空間（外壁パネル２と内壁４との間の空間）を利用して、上方に弧を描くように屈曲されて、接続部位置まで延長され、ジョイント金具８に接続されている。
【００２６】
［新規給湯管の建物外部の構成］
新規給湯管６は、外周壁（外壁パネル２）に沿って、地面に据え置かれた、又は外周壁（外壁パネル）に掛止された給湯器９の位置から壁貫通部材７の位置にかけて、基礎１の立上り部１ａからせり出した外周壁（外壁パネル２）の下端面に沿って横引きされており、カバー材１０にて保持および保護がなされている。
【００２７】
カバー材１０は、断面略Ｃ字状のベース片１０ａ、カバー片１０ｂの２つのパーツからなり、ベース片１０ａを基礎立上り部にビス止めし、ベース片１０ａに嵌めした後、カバー片１０ｂをベース片１０ａに嵌め合わせることで、新規給湯管６を保持、保護している。
【００２８】
また、カバー片１０ｂの内面側には保温材が装置されており、保温の機能も有している。
新規給湯管６は、壁貫通部材７が設けられている位置の下方でＴ字の分岐用継ぎ手６ａ（チーズ）にて上方、あるいは横方向に向かって分岐され、その下方から立ち上げられた新規給水管５とともに壁貫通部材を経由して建物内部に引き込まれる。
分岐用継ぎ手６ａで分岐されたもう一方の新規給湯管６は、将来の設備機器増設に備えて所定寸法だけ延長され、その端部はプラグ６ｂ等で保護される。
【００２９】
［新規給水管の建物外部の構成］
新規給水管５は、壁貫通部材７の位置まで地中内に埋設される。新規給水管５は壁貫通部材７の位置で起立され、基礎１の立上り部１ａに固定されたサドル（図示せず）で保持されて、新規給湯管６と合体され、壁貫通部材７を経由して建物内部に引き込まれる。新規給水管５の地上に露出する部分は、凍結防止の保温材が巻きつけられたのち、化粧カバー材１１で覆われる。
【００３０】
以上のように、本実施形態に係る給湯管の配設構造は、外壁が基礎の立ち上り部よりもせり出した建物に適用される。給湯器に接続された給湯管は前記基礎の立ち上り部からせり出した前記外壁の下端面に沿って横方向に設けられ。
本実施形態に係る給湯管の配設構造では、給湯管が外壁の下端面に沿って配設されるので目に付きにくく破損の危険性も低い。また、給湯管を建物内部に引き込む場合も、給湯管を地盤面から立ち上げる必要がなく美観を損ねにくい。また、給湯管の交換、分岐、延長等も容易に行うことができる。
【００３１】
また、横引きされた給湯管は、給水管の立ち上り位置で分岐あるいは屈曲され、前記給水管とともに前記外壁に設けられた引き込み口から前記建物内部に引き込まれてもよい。
このようにすることにより、設備機器に対し給水管と給湯管を接続する場合においても２本の美観を保つことができ、施工の手間も低減することができる。
【００３２】
なお、本発明は上記実施形態で説明したような既存設備の改修時のみならず、建物の新築時にも適用することができる。
【図１】
0005850635.tif 000002
【図２】
0005850635.tif 000003